(57)【要約】【課題】衝突した空気の拡散を抑制する。【解決手段】パネル（3）と、パネル（3）を囲うように配置され且つ空気の吹出口（13a,13b,13c,13d,13e,13f,13g）が形成された枠部材（5）と、吹出口（13a,13b,13c,13d,13e,13f,13g）へ空気を送るファン（11a,11b,11c,11d,11e,11f,30）とを設ける。枠部材（5）は、少なくとも３つの方向から互いに衝突するように空気を吹き出すことによって、パネル（3）の前方へ向かう気流を生じさせる。【選択図】図１
2019210935.tif 000002
【特許請求の範囲】
【請求項１】
パネル（3）と、上記パネル（3）を囲うように配置され且つ空気の吹出口（13a,13b,13c,13d,13e,13f,13g）が形成された枠部材（5）と、上記吹出口（13a,13b,13c,13d,13e,13f,13g）へ空気を送るファン（11a,11b,11c,11d,11e,11f,30）とを備える送風装置であって、
上記枠部材（5）は、少なくとも３つの方向から互いに衝突するように空気を吹き出すことによって、上記パネル（3）の前方へ向かう気流を生じさせることを特徴とする送風装置。
【請求項２】
請求項１において、
上記枠部材（5）には、上記吹出口（13a,13b,13c,13d,13e,13f）が３つ以上形成され、
上記枠部材（5）に形成された上記吹出口（13a,13b,13c,13d,13e,13f）のそれぞれが、一方向に空気を吹き出すことを特徴とする送風装置。
【請求項３】
請求項２において、
上記枠部材（5）には、上記吹出口（13a,13b,13c,13d,13e,13f）が少なくとも４つ形成され、
第１吹出口（13a）は、上記パネル（3）を挟んで第２吹出口（13b）の反対側に配置され、
第３吹出口は、上記パネル（3）を挟んで第４吹出口（13d）の反対側に配置され、
上記各吹出口（13a,13b,13c,13d）は、それぞれの吹出方向が異なることを特徴とする送風装置。
【請求項４】
請求項３において、
上記パネル（3）は、矩形に形成され、
上記各吹出口（13a,13b,13c,13d）は、上記パネル（3）の各辺に対応する位置に形成されることを特徴とする送風装置。
【請求項５】
請求項１乃至３のいずれか一つにおいて、
上記パネル（3）は、円形に形成され、
上記吹出口（13a,13b,13c,13d,13e,13f,13g）は、上記パネル（3）の外周に沿うように形成されることを特徴とする送風装置。
【請求項６】
請求項２乃至４のいずれか一つにおいて、
上記ファン（11a,11b,11c,11d,11e,11f）は、上記各吹出口（13a,13b,13c,13d,13e,13f）に対応して１つずつ配置されることを特徴とする送風装置。
【請求項７】
請求項６において、
上記ファン（11a,11b,11c,11d,11e,11f）は、クロスフローファンであることを特徴とする送風装置。
【請求項８】
請求項２乃至５のいずれか一つにおいて、
上記枠部材（5）は、上記ファン（11a,11b,11c,11d,11e,11f,30）から吹き出された空気を上記吹出口（13a,13b,13c,13d,13e,13f,13g）へ導く通風路（14,35a,35b）を備えることを特徴とする送風装置。
【請求項９】
請求項８において、
上記吹出口（13a,13b,13c,13d,13e,13f）は、複数形成され、
上記通風路（35a,35b）は、１つの上記ファン（30）の吹出空気を複数の上記吹出口（13a,13b,13c,13d,13e,13f）に分配することを特徴とする送風装置。
【請求項１０】
請求項１乃至９のいずれか一つにおいて、
吹き出す空気の温度を調節する温度調節器（17）を備えることを特徴とする送風装置。
【請求項１１】
請求項１乃至１０のいずれか一つにおいて、
上記枠部材（5）は、上記パネル（3）の中央側に向かって上記パネル（3）表面に沿うように空気を吹き出すことで、上記パネル（3）の中央部の前方で空気を衝突させることを特徴とする送風装置。
【請求項１２】
請求項１乃至１０のいずれか一つにおいて、
上記枠部材（5）は、上記パネル（3）の中央側に向かって上記パネル（3）の斜め前方へ向けて空気を吹き出すことで、上記パネル（3）の中央部の前方で空気を衝突させることを特徴とする送風装置。
【請求項１３】
請求項１乃至１２のいずれか一つにおいて、
上記パネル（3）は、映像を表示するディスプレイ、絵画又は写真であることを特徴とする送風装置。
【発明の詳細な説明】
【技術分野】
【０００１】
本開示は、送風装置に関するものである。
【背景技術】
【０００２】
従来より、特許文献１には、絵画や写真が添付された矩形のパネルと、パネルを囲むように配置され、対向する２つの縁から空気を吹き出してそれぞれの空気を衝突させる枠部材とを備える疑似窓が開示されている。
【先行技術文献】
【特許文献】
【０００３】
【特許文献１】特開平０６−１９３２４５号公報
【発明の概要】
【発明が解決しようとする課題】
【０００４】
従来の疑似窓において、空気は、枠部材のうち対向する２つの縁のみから吹き出されて衝突する。このため、衝突した空気が、空気を吹き出さない縁の方向に拡散してしまうおそれがある。したがって、衝突させた空気を所定の方向に送ることが困難な場合があった。
【０００５】
本開示の目的は、衝突した空気の拡散を抑制することにある。
【課題を解決するための手段】
【０００６】
本開示の第１の態様は、パネル（3）と、上記パネル（3）を囲うように配置され且つ空気の吹出口（13a,13b,13c,13d,13e,13f,13g）が形成された枠部材（5）と、上記吹出口（13a,13b,13c,13d,13e,13f,13g）へ空気を送るファン（11a,11b,11c,11d,11e,11f,30）とを備える送風装置（1）であって、上記枠部材（5）は、少なくとも３つの方向から互いに衝突するように空気を吹き出すことによって、上記パネル（3）の前方へ向かう気流を生じさせることを特徴とする。
【０００７】
第１の態様では、２つの方向から空気を衝突させる場合に比べて、空気が吹き出される方向を増やすことができる。このため、衝突した空気の拡散を抑制できる。
【０００８】
本開示の第２の態様は、上記第１の態様において、上記枠部材（5）には、上記吹出口（13a,13b,13c,13d,13e,13f）が３つ以上形成され、上記枠部材（5）に形成された上記吹出口（13a,13b,13c,13d,13e,13f）のそれぞれが、一方向に空気を吹き出すことを特徴とする。
【０００９】
第２の態様では、それぞれの吹出口（13a,13b,13c,13d,13e,13f）から吹き出される空気の吹出方向が定まる。このため、３つ以上の方向から空気同士を衝突させ易くなる。
【００１０】
本開示の第３の態様は、上記第２の態様において、上記枠部材（5）には、上記吹出口（13a,13b,13c,13d,13e,13f）が少なくとも４つ形成され、第１吹出口（13a）は、上記パネル（3）を挟んで第２吹出口（13b）の反対側に配置され、第３吹出口（13c）は、上記パネル（3）を挟んで第４吹出口（13d）の反対側に配置され、上記各吹出口（13a,13b,13c,13d）は、それぞれの吹出方向が異なることを特徴とする。
【００１１】
第３の態様では、各吹出口（13a,13b,13c,13d,13e,13f）から吹き出された空気は、反対側から吹き出された空気と衝突する。このため、衝突した空気が、各吹出口（13a,13b,13c,13d,13e,13f）の吹出方向に拡散することを抑制できる。
【００１２】
本開示の第４の態様は、上記第３の態様において、上記パネル（3）は、矩形に形成され、上記各吹出口（13a,13b,13c,13d）は、上記パネル（3）の各辺に対応する位置に形成されることを特徴とする。
【００１３】
第４の態様では、衝突した空気が、パネル（3）の各辺の方向に拡散することを抑制できる。
【００１４】
本開示の第５の態様は、上記第１〜第３のいずれか一つの態様において、上記パネル（3）は、円形に形成され、上記吹出口（13a,13b,13c,13d,13e,13f,13g）は、上記パネル（3）の外周に沿うように形成されることを特徴とする。
【００１５】
第５の態様では、吹出口（13a,13b,13c,13d,13e,13f,13g）は、湾曲状に形成される。このため、１つの吹出口（13a,13b,13c,13d,13e,13f,13g）によって多数の方向から空気を吹き出すことができる。
【００１６】
本開示の第６の態様は、上記第２〜第４のいずれか一つの態様において、上記ファン（11a,11b,11c,11d,11e,11f）は、上記各吹出口（13a,13b,13c,13d,13e,13f）に対応して１つずつ配置されることを特徴とする。
【００１７】
第６の態様では、それぞれの吹出口（13a,13b,13c,13d,13e,13f）からそれぞれのファン（11a,11b,11c,11d,11e,11f,）に応じて空気を吹き出すことができる。
【００１８】
本開示の第７の態様は、上記第６の態様において、上記ファン（11a,11b,11c,11d,11e,11f）は、クロスフローファンであることを特徴とする。
【００１９】
第７の態様では、枠部材（5）に沿うようにファン（11a,11b,11c,11d,11e,11f）を配置できる。
【００２０】
本開示の第８の態様は、上記第２〜第５のいずれか一つの態様において、上記枠部材（5）は、上記ファン（11a,11b,11c,11d,11e,11f,30）から吹き出された空気を上記吹出口（13a,13b,13c,13d,13e,13f,13g）へ導く通風路（14,35a,35b）を備えることを特徴とする。
【００２１】
第８の態様では、吹出口（13a,13b,13c,13d,13e,13f,13g）から離れた位置にファン（11a,11b,11c,11d,11e,11f,30）を設けることができる。
【００２２】
本開示の第９の態様は、上記第８の態様において、上記吹出口（13a,13b,13c,13d,13e,13f）は、複数形成され、上記通風路（35a,35b）は、１つの上記ファン（30）の吹出空気を複数の上記吹出口（13a,13b,13c,13d,13e,13f）に分配することを特徴とする。
【００２３】
第９の態様では、吹出口（13a,13b,13c,13d,13e,13f）の数よりもファン（30）の数を少なくすることができる。
【００２４】
本開示の第１０の態様は、上記第１〜第９のいずれか一つの態様において、吹き出す空気の温度を調節する温度調節器（17）を備えることを特徴とする。
【００２５】
第１０の態様では、環境や場面に応じて吹き出す空気の温度を変更することができる。
【００２６】
本開示の第１１の態様は、上記第１〜第１０のいずれか一つの態様において、上記枠部材（5）は、上記パネル（3）の中央側に向かって上記パネル（3）表面に沿うように空気を吹き出すことで、上記パネル（3）の中央部の前方で空気を衝突させることを特徴とする。
【００２７】
第１１の態様では、枠部材（5）から空気が吹き出されることが判りづらくなる。このため、あたかもパネル（3）から空気が吹き出ているような感覚を与えることができる。
【００２８】
本開示の第１２の態様は、上記第１〜第１０のいずれか一つの態様において、上記枠部材（5）は、上記パネル（3）の中央側に向かって上記パネル（3）の斜め前方へ向けて空気を吹き出すことで、上記パネル（3）の中央部の前方で空気を衝突させることを特徴とする。
【００２９】
第１２の態様では、枠部材（5）から空気が吹き出されることが判りづらくなる。このため、あたかもパネル（3）から空気が吹き出ているような感覚を与えることができる。
【００３０】
本開示の第１３の態様は、上記第１〜第１２のいずれか一つの態様において、上記パネル（3）は、映像を表示するディスプレイ、絵画又は写真であることを特徴とする。
【００３１】
第１３の態様では、パネル（3）の表示の周囲から空気を吹き出すことができる。
【図面の簡単な説明】
【００３２】
【図１】図１は、実施形態１の送風装置の正面図である。
【図２】図２は、図１のII-II線断面図である。
【図３】図３は、実施形態１の送風装置から流れる気流のシミュレーション結果を示す図である。
【図４】図４は、従来の送風装置における図３相当図である。
【図５】図５は、実施形態１の変形例１の図１相当図である。
【図６】図６は、実施形態１の変形例２の図１相当図である。
【図７】図７は、実施形態１の変形例３の図１相当図である。
【図８】図８は、実施形態２の送風装置の図１相当図である。
【図９】図９は、図８のIX-IX線断面図である。
【図１０】図１０は、実施形態２の変形例１の図１相当図である。
【図１１】図１１は、実施形態２の変形例２の図９相当図である。
【発明を実施するための形態】
【００３３】
《実施形態１》
実施形態１について説明する。本実施形態の送風装置（1）は、例えば、室内の壁面に設けられ、室内に送風するために用いられる。
【００３４】
−送風装置の全体構成−
図１に示すように、送風装置（1）は、パネル（3）、枠部材（5）、複数のファン（11a,11b,11c,11d）、及び制御器（7）を備える。
【００３５】
パネル（3）は、例えば、映像を表示するディスプレイ、絵画、写真等により構成される。パネル（3）は、静止画を表示してもよく、動画を表示してもよい。パネル（3）は、例えば横長の矩形状に形成される。
【００３６】
枠部材（5）は、パネル（3）を囲うように配置される。すなわち、枠部材（5）は、パネル（3）に対応した矩形状に構成される。具体的に、枠部材（5）は、第１縁部（5a）、第２縁部（5b）、第３縁部（5c）、及び第４縁部（5d）を備える。第１縁部（5a）は、枠部材（5）の長辺のうち下側の辺を構成する。第２縁部（5b）は、枠部材（5）の長辺のうち上側の辺を構成する。第３縁部（5c）は、枠部材（5）の短辺のうち図１に向かって左側の辺を構成する。第４縁部（5d）は、枠部材（5）の短辺のうち図１に向かって右側の辺を構成する。第１縁部（5a）と第２縁部（5b）とは、パネル（3）を挟んで互いに対向する。第３縁部（5c）と第４縁部（5d）とは、パネル（3）を挟んで互いに対向する。枠部材（5）は、中空に形成される。枠部材（5）の詳細については後述する。
【００３７】
ファン（11a,11b,11c,11d）は、第１縁部（5a）、第２縁部（5b）、第３縁部（5c）、及び第４縁部（5d）にそれぞれ１つずつ配置される。ファン（11a,11b,11c,11d）は、例えばクロスフローファンで構成される。ファン（11a,11b,11c,11d）は、配置される各縁部（5a,5b,5c,5d）に沿うように配置される。ファン（11a,11b,11c,11d）は、対応する縁部（5a,5b,5c,5d）の後述する吹出口（13a,13b,13c,13d）へ空気を送る。
【００３８】
制御器（7）は、枠部材（5）内に配置される。制御器（7）は、例えば、ファン（11a,11b,11c,11d）の回転速度を調節する。
【００３９】
−枠部材−
図１及び図２を参照しながら、枠部材（5）の構成について説明する。枠部材（5）は、内周面に、４つの空気の吹出口（13a,13b,13c,13d）を備える。各吹出口（13a,13b,13c,13d）は、パネル（3）の各辺に対応する位置に形成される。各吹出口（13a,13b,13c,13d）にはファン（11a,11b,11c,11d）が１つずつ配置される。ファン（11a,11b,11c,11d）から送られた空気は、吹出口（13a,13b,13c,13d）を通過して枠部材（5）から吹き出される。各吹出口（13a,13b,13c,13d）は、一方向に空気を吹き出す。
【００４０】
第１縁部（5a）は、第１吹出口（13a）、第１吸込口（15a）、第１ファン（11a）、温度調節器（17）、及び通風路（14）を備える。第１縁部（5a）は、断面略四角形に形成される。
【００４１】
第１吹出口（13a）は、第１縁部（5a）の上面に形成される。第１吹出口（13a）は、第１縁部（5a）の長手方向（左右方向）に延びる細長い開口である。第１縁部（5a）の上面には、第１吹出口（13a）に沿うようにフラップ（16）が設けられる。フラップ（16）の傾斜角度に応じて、第１吹出口（13a）からの吹出空気の向きが変わる。
【００４２】
第１吸込口（15a）は、第１縁部（5a）の下面に形成される。第１吸込口（15a）は、第１縁部（5a）の長手方向（左右方向）に延びる細長い開口である。
【００４３】
第１ファン（11a）は、第１吹出口（13a）と第１吸込口（15a）との間に位置する。第１ファン（11a）は、枠部材（5）の外側の空気を第１吸込口（15a）から取り入れて、第１吹出口（13a）に送る。第１ファン（11a）から送られた空気は、第１吹出口（13a）を通過して上方に吹き出される。
【００４４】
温度調節器（17）は、第１ファン（11a）と第１吸込口（15a）との間に配置される。温度調節器（17）は、例えば、室外ユニット（図示省略）に接続される熱交換器により構成される。温度調節器（17）の温度を変化させることで、第１吹出口（13a）から吹き出す空気の温度を調節する。
【００４５】
第１縁部（5a）は、前側部材（19）及び後側部材（18）を備える。前側部材（19）は、第１縁部（5a）の上面における前方（図２中左側）寄りの位置から第１ファン（11a）の上面に向かって延びる。後側部材（18）は、第１縁部（5a）の上面における後方（図２中右側）寄りの位置から第１ファン（11a）の下面に向かって延びる。前側部材（19）と後側部材（18）との間には通風路（14）が構成される。通風路（14）は、第１ファン（11a）と第１吹出口（13a）との間に形成される。通風路（14）は、第１ファン（11a）から吹き出された空気を第１吹出口（13a）へ導く。
【００４６】
第２縁部（5b）、第３縁部（5c）及び第４縁部（5d）の内部構造については、図示は省略するが、第１縁部（5a）の内部構造と同様である。
【００４７】
第２縁部（5b）は、第２吹出口（13b）、第２吸込口（15b）、第２ファン（11b）、温度調節器、及び通風路を備える。第２縁部（5b）は、断面略四角形に形成される。
【００４８】
第２吹出口（13b）は、第２縁部（5b）の下面に形成される。第２吹出口（13b）は、第２縁部（5b）の長手方向（左右方向）に延びる細長い開口である。第２縁部（5b）の下面には、第２吹出口（13b）に沿うようにフラップが設けられる。フラップの傾斜角度に応じて、第２吹出口（13b）からの吹出空気の向きが変わる。
【００４９】
第２吸込口（15b）は、第２縁部（5b）の上面に形成される。第２吸込口（15b）は、第２縁部（5b）の長手方向（左右方向）に延びる細長い開口である。
【００５０】
第２ファン（11b）は、第２吹出口（13b）と第２吸込口（15b）との間に位置する。第２ファン（11b）は、枠部材（5）の外側の空気を第２吸込口（15b）から取り入れて、第２吹出口（13b）に送る。第２ファン（11b）から送られた空気は、第２吹出口（13b）を通過して下方に吹き出される。
【００５１】
温度調節器は、第２ファン（11b）と第２吸込口（15b）との間に配置される。温度調節器は、例えば、室外ユニット（図示省略）に接続される熱交換器により構成される。温度調節器の温度を変化させることで、第２吹出口（13b）から吹き出す空気の温度を調節する。
【００５２】
第２縁部（5b）は、前側部材及び後側部材を備える。前側部材は、第２縁部（5b）の下面における前方寄りの位置から第２ファン（11b）の下面に向かって延びる。後側部材は、第２縁部（5b）の下面における後方寄りの位置から第２ファン（11b）の上面に向かって延びる。前側部材と後側部材との間には通風路が構成される。通風路は、第２ファン（11b）と第２吹出口（13b）との間に形成される。通風路は、第２ファン（11b）から吹き出された空気を第２吹出口（13b）へ導く。
【００５３】
第３縁部（5c）は、第３吹出口（13c）、第３吸込口（15c）、第３ファン（11c）、温度調節器、及び通風路を備える。第３縁部（5c）は、断面略四角形に形成される。
【００５４】
第３吹出口（13c）は、第３縁部（5c）の右面に形成される。第３吹出口（13c）は、第３縁部（5c）の長手方向（上下方向）に延びる細長い開口である。第３縁部（5c）の右面には、第３吹出口（13c）に沿うようにフラップが設けられる。フラップの傾斜角度に応じて、第３吹出口（13c）からの吹出空気の向きが変わる。
【００５５】
第３吸込口（15c）は、第３縁部（5c）の左面に形成される。第３吸込口（15c）は、第３縁部（5c）の長手方向（上下方向）に延びる細長い開口である。
【００５６】
第３ファン（11c）は、第３吹出口（13c）と第３吸込口（15c）との間に位置する。第３ファン（11c）は、枠部材（5）の外側の空気を第３吸込口（15c）から取り入れて、第３吹出口（13c）に送る。第３ファン（11c）から送られた空気は、第３吹出口（13c）を通過して右方に吹き出される。
【００５７】
温度調節器は、第３ファン（11c）と第３吸込口（15c）との間に配置される。温度調節器は、例えば、室外ユニット（図示省略）に接続される熱交換器により構成される。温度調節器の温度を変化させることで、第３吹出口（13c）から吹き出す空気の温度を調節する。
【００５８】
第３縁部（5c）は、前側部材及び後側部材を備える。前側部材は、第３縁部（5c）の右面における前方寄りの位置から第３ファン（11c）の前面に向かって延びる。後側部材は、第３縁部（5c）の右面における後方寄りの位置から第３ファン（11c）の後面に向かって延びる。前側部材と後側部材との間には通風路が構成される。通風路は、第３ファン（11c）と第３吹出口（13c）との間に形成される。通風路は、第３ファン（11c）から吹き出された空気を第３吹出口（13c）へ導く。
【００５９】
第４縁部（5d）は、第４吹出口（13d）、第４吸込口（15d）、第４ファン（11d）、温度調節器、及び通風路を備える。第４縁部（5d）は、断面略四角形に形成される。
【００６０】
第４吹出口（13d）は、第４縁部（5d）の左面に形成される。第４吹出口（13d）は、第４縁部（5d）の長手方向（上下方向）に延びる細長い開口である。第４縁部（5d）の左面には、第４吹出口（13d）に沿うようにフラップが設けられる。フラップの傾斜角度に応じて、第４吹出口（13d）からの吹出空気の向きが変わる。
【００６１】
第４吸込口（15d）は、第４縁部（5d）の右面に形成される。第４吸込口（15d）は、４縁部（5d）の長手方向（上下方向）に延びる細長い開口である。
【００６２】
第４ファン（11d）は、第４吹出口（13d）と第４吸込口（15d）との間に位置する。第４ファン（11d）は、枠部材（5）の外側の空気を第４吸込口（15d）から取り入れて、第４吹出口（13d）に送る。第４ファン（11d）から送られた空気は、第４吹出口（13d）を通過して左方に吹き出される。
【００６３】
温度調節器は、第４ファン（11d）と第４吸込口（15d）との間に配置される。温度調節器は、例えば、室外ユニット（図示省略）に接続される熱交換器により構成される。温度調節器の温度を変化させることで、第４吹出口（13d）から吹き出す空気の温度を調節する。
【００６４】
第４縁部（5d）は、前側部材及び後側部材を備える。前側部材は、第４縁部（5d）の左面における前方寄りの位置から第４ファン（11d）の前面に向かって延びる。後側部材は、第３縁部（5c）の左面における後方寄りの位置から第４ファン（11d）の後面に向かって延びる。前側部材と後側部材との間には通風路が構成される。通風路は、第４ファン（11d）と第４吹出口（13d）との間に形成される。通風路は、第４ファン（11d）から吹き出された空気を第４吹出口（13d）へ導く。
【００６５】
このように、各吹出口（13a,13b,13c,13d）は、それぞれの吹出方向が異なる。また、第１吹出口（13a）と第２吹出口（13b）とが向かい合い、第３吹出口（13c）と第４吹出口（13d）とが向かい合う。枠部材（5）は、各吹出口（13a,13b,13c,13d）が形成された４つの方向から互いに衝突するように空気を吹き出すことによって、パネル（3）の前方へ向かう気流を生じさせる。具体的に、枠部材（5）は、パネル（3）の中央側に向かってパネル（3）表面に沿うように空気を吹き出して、パネル（3）の中央部の前方で空気を衝突させる。
【００６６】
−制御器−
制御器（7）は、プロセッサ（例えばマイクロコントローラ）と、プロセッサを動作させるためのソフトウェアを格納するメモリディバイス（例えば半導体メモリ）とを備える。また、メモリディバイスには、制御器（7）の制御動作に必要なデータなども格納され
る。
【００６７】
制御器（7）は、各ファン（11a,11b,11c,11d）の回転速度を調節することで、各吹出口（13a,13b,13c,13d）から吹き出される空気の流量及び流速を調節する。具体的に、制御器（7）は、それぞれの吹出口（13a,13b,13c,13d）から吹き出される空気の流量の合計が一定に保たれるように、それぞれの方向から吹き出される空気の流量を個別に調節可能である。制御器（7）は、各吹出口（13a,13b,13c,13d）から吹き出される空気の流量及び流速を個別に調節することによって、それぞれの吹出空気が衝突することによって生じる気流の方向を変えることができる。また、制御器（7）は、１つ又は複数の吹出口（13a,13b,13c,13d）から吹き出される空気の流量がゼロになるようにファン（11a,11b,11c,11d）の回転速度を調節してもよい。
【００６８】
−実施形態１の効果−
図４は、枠部材（5）のうち対向する左右２つの縁部のみから空気を吹き出す従来の送風装置（1’）から流れる気流（F’）のシミュレーション結果を示す。従来の送風装置（1’）では、衝突した空気が、空気を吹き出さない縁の方向（上下方向）に拡散してしまう。したがって、パネル（3）の前方へ向かう空気の流量が少なくなっていた。
【００６９】
本実施形態の送風装置（1）は、パネル（3）と、パネル（3）を囲うように配置され且つ空気の第１〜第４吹出口（13a,13b,13c,13d）が形成された枠部材（5）と、各吹出口（13a,13b,13c,13d）へ空気を送るファン（11a,11b,11c,11d）とを備えるものである。そして、枠部材（5）は、４つの方向から互いに衝突するように空気を吹き出すことによって、パネル（3）の前方へ向かう気流を生じさせる。
【００７０】
図３は、本実施形態の送風装置（1）から流れる気流（F）のシミュレーション結果を示す。本実施形態によれば、２つの方向から空気を衝突させる従来の場合に比べて、空気が吹き出される方向を増やすことができる。このため、図３に示すように、各吹出口（13a,13b,13c,13d）から吹き出された空気の大部分をパネル（3）の前方へ向けて流すことが可能となる。
【００７１】
また、本実施形態の送風装置（1）では、枠部材（5）に吹出口（13a,13b,13c,13d）が４つ形成され、枠部材（5）に形成された吹出口（13a,13b,13c,13d）のそれぞれが、一方向に空気を吹き出す。
【００７２】
本実施形態によれば、それぞれの吹出口（13a,13b,13c,13d）から吹き出される空気の吹出方向が定まる。このため、吹出空気を狙いの方向に吹き出し易くなる。したがって、４つの方向から空気同士を衝突させ易くなる。
【００７３】
また、本実施形態の送風装置（1）は、パネル（3）は、矩形に形成され、各吹出口（13a,13b,13c,13d）は、パネル（3）の各辺に対応する位置に形成される。すなわち、第１吹出口（13a）は、パネル（3）を挟んで第２吹出口（13b）の反対側に配置され、第３吹出口（13c）は、パネル（3）を挟んで第４吹出口（13d）の反対側に配置される。各吹出口（13a,13b,13c,13d）は、それぞれの吹出方向が異なる。
【００７４】
本実施形態によれば、各吹出口（13a,13b,13c,13d）から吹き出された空気は、反対側
から吹き出された空気と衝突する。このため、衝突した空気が、各吹出口（13a,13b,13c,13d）の吹出方向に拡散することを抑制できる。したがって、図３に示すように、各吹出口（13a,13b,13c,13d）から吹き出された空気の大部分をパネル（3）の前方へ向けて流すことが可能となる。
【００７５】
また、本実施形態の送風装置（1）は、ファン（11a,11b,11c,11d）は、各吹出口（13a,13b,13c,13d）に対応して１つずつ配置される。
【００７６】
本実施形態によれば、それぞれの吹出口（13a,13b,13c,13d）からそれぞれのファン（11a,11b,11c,11d）に応じて空気を吹き出すことができる。このため、それぞれの吹出口（13a,13b,13c,13d）から吹き出される空気の流量を容易に調節できる。
【００７７】
また、本実施形態の送風装置（1）は、ファン（11a,11b,11c,11d）は、クロスフローファンであることを特徴とする。
【００７８】
本実施形態によれば、枠部材（5）に形成された吹出口（13a,13b,13c,13d）に沿うようにファン（11a,11b,11c,11d）を配置できる。このため、吹出口（13a,13b,13c,13d）の形状に合うように空気を吹き出すことができる。
【００７９】
また、本実施形態の送風装置（1）は、吹き出す空気の温度を調節する温度調節器（17
）を備える。
【００８０】
本実施形態によれば、環境や場面に応じて吹き出す空気の温度を変更することができる。例えば、送風装置（1）を用いて室温を調節することができる。また、パネル（3）に表示される画像に合った温度の空気を吹き出すことができる。
【００８１】
また、本実施形態の送風装置（1）は、枠部材（5）は、パネル（3）の中央側に向かってパネル（3）表面に沿うように空気を吹き出すことで、パネル（3）の中央部の前方で空気を衝突させる。
【００８２】
本実施形態によれば、枠部材（5）から空気が吹き出されることが判りづらくなる。このため、あたかもパネル（3）から空気が吹き出ているような感覚を、送風装置（1）と向かい合う人間に対して与えることができる。
【００８３】
また、本実施形態の送風装置（1）は、パネル（3）は、映像を表示するディスプレイ、絵画又は写真である。
【００８４】
本実施形態によれば、パネル（3）の表示の周囲から空気を吹き出すことができる。このため、パネル（3）の表示と吹出空気とを組み合わせて、パネルの表示に臨場感を与えることができる。
【００８５】
−実施形態１の変形例１−
本変形例では、図５に示すように、パネル（3）は円形に形成される。
【００８６】
枠部材（5）は、パネル（3）を囲うように配置される。すなわち、枠部材（5）は、パネル（3）に対応した円形に構成される。枠部材（5）は、内周面に、６つの空気の吹出口（13a,13b,13c,13d,13e,13f）を備える。各吹出口（13a,13b,13c,13d,13e,13f）は、枠部材（5）内において、パネル（3）の外周に沿うように略等間隔に形成される。各吹出口（13a,13b,13c,13d,13e,13f）にはファン（11a,11b,11c,11d,11e,11f）が１つずつ配置される。すなわち、ファン（11a,11b,11c,11d,11e,11f）は６つ配置される。
【００８７】
本変形例によれば、吹出口（13a,13b,13c,13d,13e,13f）は、湾曲状に形成される。このため、１つの吹出口（13a,13b,13c,13d,13e,13f）によって多数の方向から空気を吹き出すことができる。
【００８８】
−実施形態１の変形例２−
本変形例では、図６に示すように、パネル（3）は三角形に形成される。
【００８９】
枠部材（5）は、パネル（3）を囲うように配置される。すなわち、枠部材（5）は、パネル（3）に対応した三角形に構成される。枠部材（5）は、第１縁部（5a）、第２縁部（5b）、及び第３縁部（5c）を備える。各縁部（5a,5b,5c）は、内部にファン（11a,11b,11c）を備える。また、各縁部（5a,5b,5c）は、内周面に吹出口（13a,13b,13c）を備える。
【００９０】
−実施形態１の変形例３−
本変形例では、図７に示すように、パネル（3）は六角形に形成される。
【００９１】
枠部材（5）は、パネル（3）を囲うように配置される。すなわち、枠部材（5）は、パネル（3）に対応した六角形に構成される。枠部材（5）は、第１縁部（5a）、第２縁部（5b）、第３縁部（5c）、第４縁部（5d）、第５縁部（5e）及び第６縁部（5f）を備える。各縁部（5a,5b,5c,5d,5e,5f）は、内部にファン（11a,11b,11c,11d,11e,11f）を備える。また、各縁部（5a,5b,5c,5d,5e,5f）は、内周面に吹出口（13a,13b,13c,13d,13e,13f）を備える。
【００９２】
《実施形態２》
実施形態２について説明する。ここでは、本実施形態の送風装置（1）について、図８及び図９を参照しながら実施形態１の送風装置（1）と異なる点を説明する。
【００９３】
−枠部材−
枠部材（5）は、第１縁部（5a）、第２縁部（5b）、第３縁部（5c）、第４縁部（5d）、ベース部（36）、台座部（37）、ファン（30）、温度調節器（17）及び制御器（7）を備える。
【００９４】
ベース部（36）は、枠部材（5）のうちパネル（3）の後方（図９における右側）の部分を構成する。ベース部（36）は、中空に形成される。ベース部（36）の内部は、仕切板（38）により前後に仕切られる。仕切板（38）の中央には孔（38a）が形成される。孔（38a）の後方には、温度調節器（17）が配置される。孔（38a）の前方には、ファン（30）が配置される。ベース部（36）の外側面における仕切板（38）の後方には、吸込口（15a,15b,15c,15d）が形成される。
【００９５】
台座部（37）は、ベース部（36）の前端に設けられる。台座部（37）は、パネル（3）の背面を覆うように配置された平板状の部材である。台座部（37）は、送風装置（1）の前方に面する。台座部（37）には、パネル（3）が取り付けられる。
【００９６】
ファン（30）は、本実施形態では、例えばターボファンである。ファン（30）は、回転軸方向から吸い込んだ空気を周方向へ吹き出す。ファン（30）は、孔（38a）の前方に１つ配置される。ファン（30）は、各吸込口（15a,15b,15c,15d）から取り入れた空気を各吹出口（13a,13b,13c,13d）に送る。
【００９７】
温度調節器（17）は、ファン（30）の後方に１つ配置される。各吸込口（15a,15b,15c,15d）は、温度調節器（17）の周囲に形成される。
【００９８】
第１縁部（5a）は、ベース部（36）の下端から前方に向かって延びる。第１縁部（5a）は、パネル（3）の下側の長辺に沿って設けられる。第１縁部（5a）は、パネル（3）の長辺の全長に亘って設けられる。第１縁部（5a）の前端部（39a）は上方に向かって延びるように形成される。第１縁部（5a）は、第１吹出口（13a）、第１通風路（35a）、及び第１ダンパ（32a）を備える。
【００９９】
第１吹出口（13a）は、第１縁部（5a）の上面における前端部（39a）と台座部（37）との間に、左右方向に沿って複数形成される。第１吹出口（13a）は、ファン（30）から送られた空気を上方に吹き出す。
【０１００】
第１通風路（35a）は、第１縁部（5a）の内部空間によって構成される。第１通風路（35a）における第１吹出口（13a）の後側には、第１ダンパ（32a）が配置される。第１ダンパ（32a）は、開度可変の流量調節用のダンパである。第１通風路（35a）は、ファン（30）から送られた空気を第１吹出口（13a）へ導く。
【０１０１】
第２縁部（5b）は、ベース部（36）の上端から前方に向かって延びる。第２縁部（5b）は、パネル（3）の上側の長辺に沿って設けられる。第２縁部（5b）は、パネル（3）の長辺の全長に亘って設けられる。第２縁部（5b）の前端部（39b）は下方に向かって延びるように形成される。第２縁部（5b）は、第２吹出口（13b）、第２通風路（35b）、及び第２ダンパ（32b）を備える。
【０１０２】
第２吹出口（13b）は、第２縁部（5b）の下面における前端部（39b）と台座部（37）との間に、左右方向に沿って複数形成される。第２吹出口（13b）は、ファン（30）から送られた空気を下方に吹き出す。
【０１０３】
第２通風路（35b）は、第２縁部（5b）の内部空間によって構成される。第２通風路（35b）における第２吹出口（13b）の後側には、第２ダンパ（32b）が配置される。第２ダンパ（32b）は、開度可変の流量調節用のダンパである。第２通風路（35b）は、ファン（30）から送られた空気を第２吹出口（13b）へ導く。
【０１０４】
第３縁部（5c）及び第４縁部（5d）の内部構造については、図示は省略するが、第１縁部（5a）及び第２縁部（5b）の内部構造と同様である。
【０１０５】
第３縁部（5c）は、ベース部（36）の左端から前方に向かって延びる。第３縁部（5c）は、パネル（3）の左側の短辺に沿って設けられる。第３縁部（5c）は、パネル（3）の短辺の全長に亘って設けられる。第３縁部（5c）の前端部は右方に向かって延びるように形成される。第３縁部（5c）は、第３吹出口（13c）、第３通風路、及び第３ダンパを備える。
【０１０６】
第３吹出口（13c）は、第３縁部（5c）の右面における前端部と台座部（37）との間に、上下方向に沿って複数形成される。第３吹出口（13c）は、ファン（30）から送られた空気を右方に吹き出す。
【０１０７】
第３通風路は、第３縁部（5c）の内部空間によって構成される。第３通風路における第３吹出口（13c）の後側には、第３ダンパが配置される。第３ダンパは、開度可変の流量調節用のダンパである。第３通風路は、ファン（30）から送られた空気を第３吹出口（13c）へ導く。
【０１０８】
第４縁部（5d）は、ベース部（36）の右端から前方に向かって延びる。第４縁部（5d）は、パネル（3）の右側の短辺に沿って設けられる。第４縁部（5d）は、パネル（3）の短辺の全長に亘って設けられる。第４縁部（5d）の前端部は左方に向かって延びるように形成される。第４縁部（5d）は、第４吹出口（13d）、第４通風路、及び第４ダンパを備える。
【０１０９】
第４吹出口（13d）は、第４縁部（5d）の左面における前端部と台座部（37）との間に、上下方向に沿って複数形成される。第４吹出口（13d）は、ファン（30）から送られた空気を左方に吹き出す。
【０１１０】
第４通風路は、第４縁部（5d）の内部空間によって構成される。第４通風路における第４吹出口（13d）の後側には、第４ダンパが配置される。第４ダンパは、開度可変の流量調節用のダンパである。第４通風路は、ファン（30）から送られた空気を第４吹出口（13d）へ導く。
【０１１１】
このように、通風路（35a,35b）は、各吹出口（13a,13b,13c,13d）に対応するように複数配置される。ファン（30）の吹出空気は、各通風路（35a,35b）を通って複数の吹出口（13a,13b,13c,13d）に分配される。
【０１１２】
−制御器−
制御器（7）は、各ダンパの開度を調節して各吹出口（13a,13b,13c,13d）から吹き出される空気の流量及び流速を調節する。
【０１１３】
−実施形態２の効果−
本実施形態の送風装置（1）は、枠部材（5）は、ファン（30）から吹き出された空気を吹出口（13a,13b,13c,13d）へ導く通風路（35a,35b）を備える。
【０１１４】
本実施形態によれば、パネル（3）の後方にファン（30）を設けることができる。このため、枠部材（5）の縁部（5a,5b,5c,5d）にファン（30）を配置するためのスペースを設ける必要がなく、縁部（5a,5b,5c,5d）をコンパクトにできる。
【０１１５】
本実施形態の送風装置（1）は、吹出口（13a,13b,13c,13d）は、複数形成され、通風路（35a,35b）は、１つのファン（30）の吹出空気を複数の吹出口（13a,13b,13c,13d）に分配する。
【０１１６】
本実施形態によれば、吹出口（13a,13b,13c,13d）の数よりもファン（30）の数を少なくすることができる。このため、枠部材（5）をさらにコンパクトにできる。
【０１１７】
−実施形態２の変形例１−
本変形例では、図１０に示すように、パネル（3）は円形に形成される。
【０１１８】
枠部材（5）は、パネル（3）を囲うように配置される。すなわち、枠部材（5）は、パネル（3）に対応した円形に構成される。枠部材（5）は、内周面の全周に、１つの空気の吹出口（13g）を備える。なお、吹出口（13g）は、全周に形成されなくてもよく、断続的に複数形成されてもよい。
【０１１９】
−実施形態２の変形例２−
本変形例では、図１１に示すように、枠部材（5）の前端部（39a,39b）は、パネル（3）の中央側に向かってパネル（3）の斜め前方へ向けて延びるように形成される。各吹出口（13a,13b,13c,13d）は、枠部材（5）の前端に形成される。このため、枠部材（5）は、パネル（3）の中央側に向かってパネル（3）の斜め前方へ向けて空気を吹き出すことで、パネル（3）の中央部の前方で空気を衝突させる。
【０１２０】
《その他の実施形態》
上記の各実施形態の送風装置（1）において、制御器（7）が吹出空気の向きを調節することにより、吹出空気が衝突することによって生じる気流の方向を変えてもよい。
【０１２１】
上記の各実施形態の送風装置（1）において、温度調節器（17）として、室外ユニットに接続される熱交換器を挙げたが、これに限定されない、温度調節器（17）として、ヒータやペルチェ素子等を用いてもよい。
【０１２２】
また、上記の各実施形態の送風装置（1）においてファン（11a,11b,11c,11d,11e,11f,30）として、プロペラファンやシロッコファン、斜流ファンなどを用いてもよい。
【０１２３】
また、上記の各実施形態の送風装置（1）において、加湿器やアロマディフューザを設けてもよい。
【０１２４】
また、上記の各実施形態の送風装置（1）において、一部が室内に壁に埋め込まれるようにしてもよい。
【０１２５】
また、上記の各実施形態の送風装置（1）において、パネル（3）は、板状のガラス（例えば、はめ殺し窓を構成するガラス）であってもよい。また、パネル（3）の形状は、平坦な板状に限定されず、例えば、若干湾曲した形状であってもよい。
【０１２６】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１２７】
以上説明したように、本開示は、送風装置について有用である。
【符号の説明】
【０１２８】
1    送風装置
3    パネル
5    枠部材
11a,11b,11c,11d,11e,11f  ファン
13a    第１吹出口（吹出口）
13b    第２吹出口（吹出口）
13c    第３吹出口（吹出口）
13d    第４吹出口（吹出口）
13e,13f,13g  吹出口
14    通風路
17    温度調節器
30    ファン
35a    第１通風路（通風路）
35b    第２通風路（通風路）
【図１】
2019210935.tif 000003
【図２】
2019210935.tif 000004
【図３】
2019210935.tif 000005
【図４】
2019210935.tif 000006
【図５】
2019210935.tif 000007
【図６】
2019210935.tif 000008
【図７】
2019210935.tif 000009
【図８】
2019210935.tif 000010
【図９】
2019210935.tif 000011
【図１０】
2019210935.tif 000012
【図１１】
2019210935.tif 000013